(57)【要約】      （修正有）【課題】構造が簡易で、容積が比較的小さくコンパクトな換気式熱交換器或いはそのユニットを提供することを課題とする。【解決手段】本発明の換気式熱交換器は、共通方向に伸びる複数の熱交換流路１１を有する熱交換素子１と、この熱交換流路１１内へ室内方向ｉ及び室外方向ｏの双方向に送風しうる双方向送風手段２と、この双方向送風手段２の送風方向を切り替える切り替え手段３とを具備することを特徴とする。また、前記換気式熱交換器において、熱交換素子１を覆う断熱チャンバー４を具備するものとすることが好ましい。【選択図】図２
2006284021.tif 000002
【特許請求の範囲】
【請求項１】
共通方向に伸びる複数の熱交換流路を有する熱交換素子と、この熱交換流路内へ室内方向及び室外方向の双方向に送風しうる双方向送風手段と、この双方向送風手段の送風方向を切り替える切り替え手段とを具備することを特徴とする換気式熱交換器。
【請求項２】
熱交換素子を覆う断熱チャンバーを具備する請求項１記載の換気式熱交換器。
【請求項３】
熱交換素子の表面温度を検知する素子表面温度センサと、熱交換素子の熱交換流路内或いはその付近の流体温度を検知する流体温度センサと、を具備すると共に、前記切り替え手段は、素子表面温度センサで検知した表面温度と、流体温度センサで検知した流体温度との温度差に応じて送風方向の切り替え動作を行うものである請求項１または２記載の換気式熱交換器。
【請求項４】
請求項１、２または３記載の第一の換気式熱交換器と、請求項１、２または３記載の第二の換気式熱交換器とを具備すると共に、第一の換気式熱交換器が具備する第一の切り替え手段と、第二の換気式熱交換器が具備する第二の切り替え手段とが連動して、各送風方向を互いに逆方向へ切り替えるものである換気式熱交換器ユニット。
【発明の詳細な説明】
【技術分野】
【０００１】
本発明は、顕熱或いは潜熱交換を行なう換気式熱交換器に関するものである。
【背景技術】
【０００２】
従来、静止型の熱交換器の他に、回転型の熱交換素子が存在する（例えば、特許文献１参照）。
【０００３】
静止型の熱交換器は、熱交換素子が熱交換膜を介してその表裏を流通する空気の熱交換を間接的に行うものである。例えば、並行流路を有する薄板状の各層が、流路が平面視にて一層ごとに交差するように、かつ層間に熱交換膜を介して積層されてなる熱交換素子を具備し、熱交換膜で仕切られた各層の流路内に、内空気と外空気それぞれを各層交互に同時流通させることで熱交換するものである。内気が流通する内気用流路と、外気が流通する外気用流路とが決まっており、熱交換膜を介してその表裏を流通する空気の熱交換を間接的に行うものであるため、熱交換効率の向上には限界がある。
【０００４】
これに対して、回転型の熱交換素子は例えば、一方向を向く多数の流路が纏まって円柱状に構成された熱交換素子を具備し、その断面を二分するように、それぞれ外気と内気を上下に流通させる構造となっている。熱交換素子が軸回転することで、それぞれ双方向を向く室内気と室外気とが、熱交換流路内を交互に通過する。同一の流路が、内気が流通する内気用流路と、外気が流通する外気用流路とに時間的に変化するため、流路壁の吸着性によって、静止型熱交換器に比べて熱交換効率を確保しやすい。
【０００５】
しかしながら回転型の熱交換素子は、回転機構やその制御システムによって、構造の複雑化や、容積の大型化といった問題があった。すなわち、回転動作による熱交換性能を確保すべく、多くの回転型熱交換素子は、円形の熱交換断面形状が採用されており、断面積の大型化を余儀なくされている。
【特許文献１】特開平５−８７４７７号公報
【発明の開示】
【発明が解決しようとする課題】
【０００６】
そこで本発明は、上記問題点に鑑み、構造が簡易で、容積が比較的小さくコンパクトな換気式熱交換器或いはそのユニットを提供することを課題とする。
【課題を解決するための手段】
【０００７】
（１）本発明の換気式熱交換器は、共通方向に伸びる複数の熱交換流路１１を有する熱交換素子１と、この熱交換流路１１内へ室内方向ｉ及び室外方向ｏの双方向に送風しうる双方向送風手段２と、この双方向送風手段２の送風方向を切り替える切り替え手段３とを具備することを特徴とする。
【０００８】
（２）前記換気式熱交換器において、熱交換素子１を覆う断熱チャンバー４を具備するものとすることが好ましい。
【０００９】
かかる断熱チャンバー４によって、熱交換素子１の外部への熱放散が抑えられ、効率的な熱保持が可能となる。これによって、より熱交換性能のよいものとなる。
【００１０】
（３）前記いずれかの換気式熱交換器において、熱交換素子１の表面温度を検知する素子表面温度センサ５１と、熱交換素子１の熱交換流路１１内或いはその付近の流体温度（熱交換素子１の熱交換流路１１を流通する流体の温度）を検知する流体温度センサ５２と、を具備すると共に、
前記切り替え手段３は、素子表面温度センサ５１で検知した表面温度と、流体温度センサ５２で検知した流体温度との温度差Δｔに応じて送風方向の切り替え動作を行うものであることが好ましい。
【００１１】
（４）或いは、本発明の換気式熱交換器ユニットとして、前記いずれか記載の第一の換気式熱交換器１０Ａと、同じく前記いずれか記載の第二の換気式熱交換器１０Ｂとをそれぞれ同数台ずつ具備すると共に、第一の換気式熱交換器が具備する第一の切り替え手段３と、第二の換気式熱交換器が具備する第二の切り替え手段３とが連動して、各送風方向を互いに（室内方向ｉ、室外方向ｏのいずれか）逆方向へ切り替えるものであることを特徴とする。
【００１２】
このようなものであれば、比較的コンパクトな構造をもって第三種換気が可能となる。
【発明の効果】
【００１３】
上記手段によって、構造が簡易で、容積が比較的小さくコンパクトな換気式熱交換器或いはそのユニットを提供するものとなった。
【発明を実施するための最良の形態】
【００１４】
以下、本発明を実施するための最良の形態を、各実施例として示す図面（図１ないし図４）と共に説明する。図１は、本発明の実施例１の換気式熱交換器の構造を説明する一部透視説明図である。図２ないし図４はそれぞれ、実施例２、３、４の換気式熱交換器の構成と運転を説明する簡略説明図で、それぞれ上図が給気運転時、下図が排気運転時を示す。なお、実施例５は、図２ないし図４の符号１０Ａ、１０Ｂで示すように、各図それぞれ上図及び下図の換気式熱交換器を共に一台ずつ、或いは複数台ずつ備えた換気式熱交換ユニットである。
【００１５】
本発明の換気式熱交換器は、共通方向に伸びる複数の熱交換流路１１を有する熱交換素子１と、この熱交換流路１１内へ室内方向ｉ及び室外方向ｏの双方向に送風しうる双方向送風手段２と、この双方向送風手段２の送風方向を切り替える切り替え手段３とを具備する。さらに、熱交換素子１を覆う断熱チャンバー４を具備するものが好ましい。また、熱交換素子１の表面温度を検知する素子表面温度センサ５１と、熱交換素子１の熱交換流路１１内或いはその付近の流体温度（熱交換素子１の熱交換流路１１を流通する流体すなわち流通空気の温度）を検知する流体温度センサ５２と、を具備する。この換気式熱交換器は、効率のよい熱交換を行いながら第一種換気と第二種換気を交互に行うものであり、実施例１、２、３および４として具体的態様が示される。
【００１６】
（熱交換素子１）
本発明の熱交換素子１は、全ての熱交換流路１１内に外気と内気とを時間的に交互に流通させることで、熱交換膜を介して外気と内気を交流させ、もって外気及び内気の全熱（すなわち顕熱及び潜熱）交換或いは顕熱交換を行うものである。
【００１７】
熱交換素子１は、共通方向に伸びる複数の熱交換流路１１を有する。この複数の熱交換流路１１は、全ての一端が室内を向き、全ての他端が室外を向くようにして連設される。ダクトあるいは給排口（ベンドキャップ、ブリーズ）と、直接或いは間接的に連結される。実施例では、一方向の直線的な熱交換流路１１を上下左右へ並設してなり、流路に垂直な断面視にて格子状の多数の流路孔が設けられている。
【００１８】
実施例の熱交換素子１は、それ自体が回転せず静止したまま熱交換を行なう静止型熱交換器である。また、外気と内気とを同時に流通させる（すなわち、流路壁を介して交流させる）ものではなく、外気のみ、或いは内気のみを所定時間間隔でそれぞれ単独で交互に流通させて、内気、外気それぞれに対する熱交換流路１１での熱回収及び熱放出、或いは、熱放出及び熱回収を順に繰り返すことによって熱交換を行なうものである。内気、外気という流通空気の入れ替えは、送風方向の切り替えによって行う。
【００１９】
このような熱交換素子１によれば、それ自体が回転する回転型熱交換器ではないため、熱交換素子１自体が必ずしも回転形状（例えば、断面円形状）である必要が無く、また、回転機構が不要となる。よって、簡易な機構でありながら熱交換流路１１数が比較的多い熱交換素子１とすることができ、熱交換性能をある程度維持しながらコンパクト化を可能とする。
【００２０】
それぞれの熱交換素子１は、例えば、熱及び水分の所定の保持性（吸着性）及び所定の発散性を有する同形状の複数の熱交換膜板を積層したものを使用することができる。具体的には、同形状の熱交換膜板と、熱交換膜板上に熱交換流路１１方向を向いて固定され、熱交換膜板同士の間隔を維持するスペーサーと、を交互に積層してなる。これにより、複数枚の熱交換膜板が等間隔に並設され、この各熱交換膜板間の各層にスペーサーが固定されて、一方向を向いた熱交換流路１１が連設される。
【００２１】
熱交換膜板は、それ自体の表面或いは裏面を流通する空気の、潜熱及び顕熱を吸収し或いは放散することで顕熱交換或いは全熱交換するものである。例えば表面に吸着剤を散設したものとすれば、水分の保持性及び発散性に優れたものとなる。積層により隣り合う熱交換膜板同士の並設間隔は、１．５ないし２．０ｍｍ、さらには１．７ｍｍ程度であることが、高熱交換効率及び低圧力損失のために好ましい。
【００２２】
熱交換膜板は他に、例えば、厚さ方向に複数の透湿孔を設けた発泡プラスチック断熱材と、この透湿孔を覆うように設けた親水性有機高分子膜と、からなるものとすることができる（図示せず）。発泡プラスチック断熱材は、独立気泡を有する硬質或いは中硬質プラスチックフォームである。透湿孔は、発泡プラスチック断熱材の広さ方向に略均等に複数個、厚さ方向を透湿路として貫通して設けられる。透湿孔を設けることで、発散性を確保することができる。また、熱及び水分の保持性能を確保すべく、積層構造としてもよい。
【００２３】
スペーサーは例えば、熱交換膜板上において、互いに並行となるように並列固定される、複数本の突条からなる。並設する熱交換膜同士の間隔を維持すると同時に、並行な複数本の線固定によって、換気式熱交換器の形状を保持するものであり、また、換気空気の流れ方向を誘導するものである。スペーサーも熱交換機能たる保持性（吸着性）及び発散性を有するものとすることができる。例えば、スペーサーを、厚さ方向へ段層した複数本の発泡性のホットメルトビードを固化接着してなる突条とすることができる。発泡性により、熱の保持性が向上する。ここでホットメルトビードとは、常温を超えた融点で粘性溶融したホットメルト樹脂（熱溶融樹脂）を抽出してなる線（ビード）状体であり、常温にて硬質又は中硬質固化して接着される。段層にすることで、熱交換流路１１の壁面面積が多いものとなり、熱交換効率が上昇する。
【００２４】
熱交換素子１は他に、断面略正六角形の熱交換流路１１を、その各辺が対向するように上下左右に形成し、かつ、一列毎に、断面視列方向へ各辺の半分長ずつずれたものとしたハニカム構造としてもよい。
【００２５】
（断熱チャンバー４）
断熱チャンバー４は、熱交換素子１の周囲を囲繞（好ましくは密閉）することで、熱交換素子１の熱保持性能を確保し、外部への熱放散を抑えるものである。これによって効率的な熱保持が可能となり、より熱交換性能のよいものとなる。例えば、グラスウール、ロックウール等の任意の断熱保持材と、形状保持フレームとから構成される。コンパクトで熱交換流路１１数を有効に確保できる箱型、或いは複数の熱交換流路１１同士で比較的均等な全熱交換をしうる円筒型が好ましい。
【００２６】
（双方向送風手段２）
双方向送風手段２は、熱交換素子１を流通する流体の流通方向を室内方向ｉ、室外方向ｏの双方向に強制風排するものであり、送風機（双方向回転型送風機２１又は一方向回転型送風機２２、２３、２２´、２３´）から構成されるか、或いは送風機と必要に応じてダンパー（２４、２５）とから構成される。
【００２７】
実施例１及び２の双方向送風手段２は、一台の双方向回転型送風機２１から構成される。この双方向回転型送風機２１は、熱交換流路１１の一端と向き合うように設けられる（図１、図２）。このような双方向回転型送風機２１を設けたものであれば、流路方向が比較的コンパクトな換気式熱交換器となりうる。
【００２８】
実施例３の双方向送風手段２は、２台の一方向回転型送風機２２、２３から構成される。この２台の一方向回転型送風機２２、２３は、熱交換素子１からみて室内側に設けられた第一の一方向回転型送風機２２と、同じく室外側に設けられた第二の一方向回転型送風機２３とからなる（図３）。
【００２９】
２台の一方向回転型送風機２２、２３は、互いに逆の回転方向として、熱交換素子１の両端それぞれに向き合うように設けられる。また、いずれも送風方向の上流側に熱交換素子１が位置するようにしており、その送風方向は、熱交換素子内の流体空気を室内、室外へ送り出す方向である。これと併せて、後述する流体温度センサ５２を、一方向回転型送風機２２、２３と熱交換素子との間の流路に設置している。これにより流通空気が熱交換素子内及び流体温度センサ５２へ自然流入することとなる。一方向回転型送風機２２、２３によって流体温度センサ５２へ直接強制風排することがないため、流体温度センサ５２の誤認識を防ぐことができる。
【００３０】
実施例４の双方向送風手段２は、給気用として室内側の給気ダクトに連結される第一の一方向回転型送風機２２´と、排気用として室外側の排気ダクトに連結される第二の一方向回転型送風機２３´と、還気用として室内側の還気ダクトに連結される第一のダンパー２４と、外気用として室外側の外気ダクトに連結される第二のダンパー２５とから構成される（図４）。
【００３１】
（切り替え手段３）
切り替え手段３は、少なくとも双方向送風手段２と電気的に接続可能とし、双方向送風手段２の送風方向を切り替えるものであり、任意の形式のリレースイッチを具備する。好ましくはさらに、後述する素子表面温度センサ５１や流体温度センサ５２とも電気的に接続可能としており、表面温度センサ５１で検知した表面温度と、流体温度センサ５２で検知した流体温度との温度差Δｔによって送風方向の切り替え動作を行うものであることが好ましい。
【００３２】
（切り替え手段３の動作制御）
前記切り替え手段３による送風方向の切り替え動作は、下記（Ａ）（Ｂ）（Ｃ）のいずれか又は複数を組み合わせて行う。
（Ａ）タイマーによる所定時間ごとの切り替え動作
（Ｂ）素子表面温度センサ５１で検知した表面温度と、流体温度センサ５２で検知した流体温度との温度差Δｔによる切り替え動作
（Ｃ）流体流量の判定による切り替え動作
（Ａ）タイマーによる所定時間ごとの切り替え動作とは、送風機（２１、２２、２３）の連続運転時間を検知するタイマーを設け、このタイマーに一定の切り替え時間を経過する毎に動作切り替え信号を送るものである。一定の切り替え時間は、必要換気量、送風機の送風能力に応じて予め設定される。
【００３３】
（Ｂ）表面温度と流体温度との温度差Δｔによる切り替え動作とは、直近の切り替え動作後、先ず温度差Δｔが所定の第一判定温度差Δｔを越え、その後に前記第一判定温度差Δｔから所定の第二判定温度差Δｔ以内まで下がったとき（つまり、表面温度と流体温度とが近似したとき）に切り替え動作を行うものである。
【００３４】
（Ｃ）流体流量の判定による切り替え動作とは、流体流量の判定を行うと共に、流量が所定の第二判定流量を越えたときに切り替え動作を行うものである。また一方で、所定の第一判定流量を超えるまでは切り替え動作を停止するものである。
所定の第一判定流量は、居室の必要換気量或いはダクト流路に応じて予め設定される。第一判定流量未満での判定によって、居室内で実質的に十分な換気が行われない状態での切り替え動作を制限することで、居室の必要換気量を容易に確保することができる。また、頻繁な切り替え動作の繰り返し（チャタリング現象）を抑止することができる。
【００３５】
（流体流量の判定）
所定の流体流量を超えたか否かの判定は、熱交換素子１内の流体流量を検知する流量センサを設け、この流量センサによって直接、所定風量を超えたか否かによって行うものでもよい。この場合、流量を直接検知するため、検知精度、ひいては換気量の制御認識に優れるものとなる。
【００３６】
また流体流量の判定は、流量センサによる流量そのものの判定に限らず、流量に対応する値の判定によって行うものでもよい。流量に対応する値とは例えば、双方向送風手段２を構成する送風機（２１、２２、２３）の回転数が挙げられる。送風機（２１、２２、２３）の回転数の判定による場合は、具体的には、双方向送風手段２たる送風ファンの回転数を検知する回転数計測器（図示せず）を設け、この計測器でカウントされた、室内方向ｉ、室外方向ｏの各送風方向回転数が所定回転数を超えたか否かによって行う。
【００３７】
（温度センサ（素子表面温度センサ５１、流体温度センサ５２））
実施例の換気式熱交換器は、熱交換素子１の表面温度を検知する素子表面温度センサ５１と、熱交換素子１の熱交換流路１１内或いはその付近の流体温度（熱交換素子１の熱交換流路１１を流通する流体、すなわち流通空気の温度）を検知する流体温度センサ５２と、を具備する。
【００３８】
これらセンサは、ひとつでも複数でもよい。複数設けた場合には、検出温度の誤認識が起こりにくく、制御精度が向上する。
【００３９】
素子表面温度センサ５１の取り付け位置すなわち表面温度検知位置は、熱交換素子１の流路構成壁であればいずれの箇所でも構わないが、流路を流通する流体温度と誤認せぬよう、流体と接触しない流路構成壁の内部（さらにいえば厚さ方向中央付近）か、或いは最外流路構成壁の外表面であることが好ましい。また、同じく流体温度と誤認せぬよう、流路の一方向に伸びる中央付近（端部から所定距離（少なくとも５０ｍｍ以上、好ましくは７０ｍｍ以上）を開けた中央寄り）であることが好ましい。
【００４０】
流体温度センサ５２の取り付け位置は、流体流路内であればいずれでもよいが、好ましくは、ダクト流路の中央付近であることが、より精度の高い測定を得るために好ましい。
【実施例１】
【００４１】
本発明の実施例１の換気式熱交換器の構造を図１に示す。
【００４２】
実施例１の双方向送風手段２は、熱交換流路１１の一端にのみ向き合うように設けられた一台の双方向回転型送風機２１から構成される。
【００４３】
実施例１では、内気流路、外気流路を共通のものとし、送風方向を室内方向ｉと室外方向ｏとに交互に切り替えて連続作動させることによって、簡易な構造となっている。例えば、ダクト接続を行わない壁面露出型の換気式熱交換器として好適に使用される。
【００４４】
また実施例１では、熱交換素子１の表面温度を検知する素子表面温度センサ５１を、熱交換素子１を構成する最外熱交換膜板の外周面略中央であって断熱チャンバー４の内側に設けると共に、熱交換素子１の熱交換流路１１を流通する流通空気の温度（流体温度）を検知する流通空気温度センサ５２を、熱交換素子１の端面中央に接触させて設けている（図１）。これにより温度センサのメンテナンスが容易となる。
【実施例２】
【００４５】
本発明の実施例２の換気式熱交換器の構成と運転を図２に説明する。
【００４６】
実施例２は、基本的に実施例１と同様の構成であるが、流体温度センサ５２が断熱チャンバー４内の、送風機と熱交換素子１の間に設けられている（図２）。断熱チャンバー４の流体流通方向中央付近に設けることで、断熱チャンバー４で覆われた本発明の換気式熱交換器内の流体温度を安定的に検知することができる。
【実施例３】
【００４７】
本発明の実施例３の換気式熱交換器の構成と運転を図３に説明する。
【００４８】
実施例３の双方向送風手段２は、室内側のダクトに連結される給気用送風機と、室外側のダクトに連結される排気用送風機と、を備えてなる。本実施例の給気用送風機と排気用送風機は、いずれも一方向回転型の送風機であり、互いに反対の送風方向へ回転する。また、いずれも停止時のシャッターを備えない常時開放型送風機であり、運転停止時にもダクトと連通しており、ダクト流路が常時確保される。
【００４９】
居室内に連結される室内側ダクトは給気ダクト並びに還気ダクトを兼用し、居室外に連結される室外側ダクトは排気ダクト並びに外気ダクトを兼用する（図３）。このように、室内側の「給気」及び「還気」並びに、室外側の「外気」及び「排気」という４系統のダクト流路を、換気式熱交換器の給気運転、排気運転の交互運転によって室内側、室外側という２本のダクトに割り当てるものである。これにより、必ずしも４本のダクトを設ける必要が無く、コンパクトな換気式熱交換器、及び、接続したダクトを含むコンパクトな換気システムを構成することができる。各ダクト内の流通方向が安定し、よどみの発生を抑えることができる。
【００５０】
本実施例の換気式熱交換器は、以下に説明するように、給気運転（図３上図）と排気運転（図３下図）とを交互に行う。先ず給気時には、図３上図のように、給気用送風機（送風機１）のみが運転して給気ダクトにより居室内へ給気がされると共に、排気用送風機（送風機２）は運転を停止している。このとき、排気用送風機（送風機２）は常時開放型送風機であるから、給気用送風機（送風機１）のダクト連結口から室内側ダクトを経て新鮮な室外空気が室内へ給気される。
【００５１】
次に排気時には、図３下図のように、排気用送風機（送風機２）が運転して外気ダクトを経て居室外へ排気がされると共に、給気用送風機（送風機１）は運転を停止している。このとき、給気用送風機（送風機１）は常時開放型送風機であるから、給気用送風機（送風機１）のダクト連結口から室外側ダクトを経て汚染した還気空気が室外へ排気される。
【実施例４】
【００５２】
本発明の実施例４の換気式熱交換器の構成と運転を図４に説明する。実施例４の換気式熱交換器は、以下に特定する以外、基本的に実施例３と同様である。
【００５３】
実施例４の双方向送風手段２は、給気用として室内側の給気ダクトに連結される第一の一方向回転型送風機２２´と、排気用として室外側の排気ダクトに連結される第二の一方向回転型送風機２３´と、還気用として室内側の還気ダクトに連結される第一のダンパー２４と、外気用として室外側の外気ダクトに連結される第二のダンパー２５と、を備えてなる。
【００５４】
本実施例の第一の一方向回転型送風機２２´及び第二の一方向回転型送風機２３´は、それぞれ第一のシャッター２２ｓ、第二のシャッター２３ｓを備えたシャッター付き送風機として、運転停止時にはシャッターを閉じるものとしている（図４下表参照）。これにより、各ダンパーの開閉動作と共にシャッターの開閉動作が行われ、給気量、排気量を所定量に制御することができる。それ以外の構造、送風方向及び動作方法は、実施例３の第一の一方向回転型送風機２２及び第二の一方向回転型送風機２３と同様である。
【００５５】
本実施例の換気式熱交換器は、居室内に連結される給気ダクト並びに還気ダクト、及び、居室外に連結される排気ダクト並びに外気ダクトというように、４系統のダクト流路をそれぞれ専用ダクトとして一本ずつ割り当てるものである。これにより、各ダクト内の流通方向が安定し、よどみの発生を抑えることができる。
【００５６】
本実施例の換気式熱交換器は、以下に説明するように、給気運転（図４上図）と排気運転（図４下図）とを交互に行う。
【００５７】
先ず新鮮空気の室内への給気時には、図４上図のように、給気用の第一の一方向回転型送風機２２´が運転して給気ダクトにより居室内へ強制排風の給気がされると共に、外気用の第二のダンパー２５が開状態となって外気ダクトにより居室外の外気が自然流入により吸気される。このとき、排気用の第二の一方向回転型送風機２３´は運転を停止していると共に、還気用の第一のダンパー２４は閉状態となって居室からの還気流の進入を遮断している（図４下表の上段）。
【００５８】
次に排気時には、図４下図のように、排気用の第二の一方向回転型送風機２３´が運転して外気ダクトを経て居室外へ強制排風の排気がされると共に、還気用の第一のダンパー２４が開状態となって還気ダクトにより居室内の汚染空気が自然流入により還気される。このとき、給気用の第一の一方向回転型送風機２２´は運転を停止していると共に、外気用の第二のダンパー２５は閉状態となって室外からの外気流の進入を遮断している（図４下表の下段）。
【実施例５】
【００５９】
（本発明の換気式熱交換器ユニット）
また、実施例５として示す本発明の換気式熱交換器ユニットは、一又は複数台の第一の換気式熱交換器１０Ａと、一又は複数台の第二の換気式熱交換器１０Ｂとを、それぞれ同数台ずつ具備した一体型又は別体のユニットである。そして、第一の換気式熱交換器が具備する第一の切り替え手段３と、第二の換気式熱交換器が具備する第二の切り替え手段３とが連動して、各送風方向を互いに、室内方向ｉ、室外方向ｏのいずれか逆方向へ切り替わるものとしている。
【００６０】
すなわち、
共通方向に伸びて互いに隣接した複数の第一の熱交換流路１１を有する第一の熱交換素子１と、この第一の熱交換流路１１内を、室内方向ｉ及び室外方向ｏの双方向に送風しうる第一の双方向送風手段２と、この第一の双方向送風手段２の送風方向を切り替える第一の切り替え手段３とを具備する第一の換気式熱交換器１０Ａと、
共通方向に伸びて互いに隣接した複数の第二の熱交換流路１１を有する第二の熱交換素子１と、この第二の熱交換流路１１内を、室外方向ｏ及び室内方向ｉの双方向に送風しうる第二の双方向送風手段２と、この第二の双方向送風手段２の送風方向を切り替える第二の切り替え手段３とを具備する第二の換気式熱交換器１０Ｂとを、それぞれ一台又は複数台具備してなる換気式熱交換器ユニットであって、
第一の切り替え手段３と第二の切り替え手段３の各切り替え動作を連動させて、第一の双方向送風手段２の送風方向と、第二の双方向送風手段２の送風方向とが、互いに室内方向ｉ及び室外方向ｏの逆方向に送風するようにした換気式熱交換器ユニットである。
【００６１】
例えば、図２、図３、図４のいずれかにおいて、それぞれの上図に示す第一の換気式熱交換器１０Ａと、下図に示す第二の換気式熱交換器１０Ｂとを同数台ずつ備え、各換気式熱交換器が換気を行う居室と室外とにダクト連結されるものである。
【００６２】
（第一、第二の送風方向について）
第一、第二の双方向送風手段２は、送風方向が運転中に常時、互いに室内方向ｉ及び室外方向ｏの逆方向を向くと共に、第一、第二の切り替え手段３は相互に連動して切り替え動作を行う。具体的には、第一の送風方向が室内方向ｉのときは第二の各送風方向が室外方向ｏとなる。第一、第二の切り替え手段３のうちいずれか一方の切り替え手段３が切り替え動作を行うと、他方の切り替え手段３が連動して切り替え動作を行う。そして、第一の送風方向が室外方向ｏのとき、第二の各送風方向が室内方向ｉとなる。このようにして、運転時には常時、第一の換気式熱交換器の送風方向と第二の換気式熱交換器の送風方向が逆方向となる。
【００６３】
換気式熱交換器ユニットは、これを構成する複数の換気式熱交換器がそれぞれ別体からなるものとしてもよく、他に、複数の換気式熱交換器を複数体或いは一体に纏めた少数体或いは一体からなるものとしても良い。
【００６４】
その他、各部の具体的な構成は、上述した実施例に限定されるものでなく、本発明の趣旨を逸脱しない範囲で種々の変形が可能である。
【産業上の利用可能性】
【００６５】
本発明の換気式熱交換器は、総合空気調和機としても利用できる。また、ダクトや吹出口を含む熱交換空調システムとしても利用できる。
【図面の簡単な説明】
【００６６】
【図１】本発明の実施例１の換気式熱交換器の構造を説明する一部透視説明図である。
【図２】本発明の実施例２の換気式熱交換器の構成と運転を説明する簡略説明図である。
【図３】本発明の実施例３の換気式熱交換器の構成と運転を説明する簡略説明図である。
【図４】本発明の実施例４の換気式熱交換器の構成と運転を説明する簡略説明図である。
【符号の説明】
【００６７】
１  熱交換素子
１１  熱交換流路
２  双方向送風手段
２１  双方向回転型送風機
２２  第一の一方向回転型送風機
２３  第二の一方向回転型送風機
２４  第一のダンパー
２５  第二のダンパー
３  切り替え手段
４  断熱チャンバー
５１  素子表面温度センサ
５２  流体温度センサ
ｉ  室内方向
ｏ  室外方向
【図１】
2006284021.tif 000003
【図２】
2006284021.tif 000004
【図３】
2006284021.tif 000005
【図４】
2006284021.tif 000006